(57)【要約】【課題】施解錠機構及び係止機構を有して扉の内部に収納される錠箱に対して、固定部材と、扉の外にある操作部からの操作力を錠箱に伝達する伝達部材とを、扉面に設ける開口部が小さくても、良好に接続できるプッシュプル錠を提供する。【解決手段】扉１００の中に組み込み可能な錠箱１が、扉１００の面に直交する２つの固定部材６によって扉１００の外側から２つの外部操作部で挟み込んで固定されるプッシュプル錠であって、扉１００を施解錠するデッドボルト２を出退させる回動作用部７と、扉１００を扉枠２００に係止するラッチボルト３を扉１００の開扉の際に出退可能な状態とする開閉作用部４３とが、扉面視において、固定部材６を結ぶ線に対して互いに反対側に配置される。【選択図】図３
2007154499.tif 000002
【特許請求の範囲】
【請求項１】
扉の中に組み込み可能な錠箱と、前記扉の両面にそれぞれ取り付けられ、前記扉の面に直交する２つの固定部材によって前記扉の外側から前記錠箱を挟み込んで固定される２つの外部操作部とを有し、
前記外部操作部の座部に設けられ、前記扉の面に直交する回動軸を有する施解錠操作部への回動操作に連動する回動作用部の作用により前記扉を施解錠するデッドボルトを出退させると共に、
前記座部に保持された開閉操作部を前記扉の一方の面からは押し操作することより、他方の面からは引き操作することにより、駆動レバーを連動させ、この駆動レバーの開閉作用部の作用により前記扉の開扉の際に前記扉を係止するラッチボルトを出退可能な状態とするプッシュプル錠であって、
前記回動作用部と前記開閉作用部とが、前記扉の扉面視において、前記固定部材を結ぶ線に対して互いに反対側に配置されるプッシュプル錠。
【請求項２】
前記固定部材を結ぶ線を対称軸として、前記回動作用部と前記開閉作用部とが、対称位置に配置される請求項１に記載のプッシュプル錠。
【請求項３】
前記固定部材を結ぶ線の垂直二等分線上に前記回動作用部と前記開閉作用部とが配置される請求項１又は２に記載のプッシュプル錠。
【請求項４】
前記駆動レバーは、前記扉の面に直交し、前記開閉操作部に連結される連結部と、前記連結部から前記扉の面に沿って前記扉の上下方向に延伸する腕部と、前記腕部から前記扉の面に直交する方向に突出して前記錠箱の中に至る前記開閉作用部とからなる鉤型に構成される請求項１〜３の何れか一項に記載のプッシュプル錠。
【請求項５】
前記開閉作用部が、前記ラッチボルトの動きを規制するラッチボルト規制機構を解除することにより、前記扉の開扉の際に前記ラッチボルトを出退可能な状態とするプッシュプル錠であって、
前記ラッチボルト規制機構は、互いに対向して配置され、独立した回動支点と、前記回動支点と連結される共通の動支点とを有して前記駆動レバーの前記作用部による駆動力を受けて連動して回動する２つの受け部と、一方の前記受け部から前記ラッチボルトへと延伸して先端部に前記ラッチボルトの動きを規制する係合部が形成された柄部とを有したリンク機構を備え、
前記動支点は、前記固定部材を結ぶ線及び前記開閉作用部を挟んで前記回動作用部とは反対側に配置され、前記一方の受け部と前記柄部とは角部に前記回動支点を有してＬ字形状に構成される請求項１〜４の何れか一項に記載のプッシュプル錠。
【発明の詳細な説明】
【技術分野】
【０００１】
本発明は、施解錠機構及び係止機構を有し、解錠状態においては、扉の一方の側からは押し操作により、他方の側からは引き操作により、前記係止機構による扉の係止状態を解除して、扉の開扉を可能とするプッシュプル錠に関する。
【背景技術】
【０００２】
このようなプッシュプル錠の一例として、下記に出典を示す特許文献１に記載されたものがある。このプッシュプル錠の錠箱は、扉内部の自由端部側に収納されて２本のボルトで固定される。扉の外側には、扉を開閉操作するバーを支持し、さらに扉を施解錠するキーシリンダーやサムターンが備えられるバー座が錠箱を挟み込んで取り付けられる。上記ボルトは、扉を挟んで２つのバー座の間を連通し、その内の１本は錠箱を貫通している。
２本のボルトは、水平方向に並んで配置され、その中間にはキーシリンダーに差し込まれる鍵やサムターンへの回動操作を錠箱内の施解錠機構（デッドボルト）へ伝達するための伝達部材が備えられている。
【０００３】
この伝達部材の鉛直方向に並んでバーへの操作を錠箱内にある扉の係止機構（ラッチボルト）へ伝達する駆動アームが備えられている。付勢されて扉の自由端部から突出するラッチボルトの先端部（ラッチブロック）は、閉扉状態においては扉枠に固定されたストライク板のラッチ投入孔に挿入されている。ラッチボルトは、閉扉状態では動きが規制されており、閉扉状態で扉面と平行な衝止面がラッチ投入孔の開口端縁と当接することによって、扉が扉枠に係止される。一方、バーを操作することで、扉を係止するラッチボルトの動きを規制する規制機構が駆動アームを介して解除される。衝止面は扉の動きに応じて扉面に対して斜めになるように回動し、ラッチ投入孔の開口端縁との当接が解除される。さらに扉が開くと、くさび効果により付勢力に抗ってラッチボルトは錠箱内に引退するので、扉の係止が解除される。その結果、バーへの操作によって、扉を開くことができる。
【０００４】
【特許文献１】特公平２−５５５９１号公報（第２〜５頁、第１〜５図、第１０図）
【発明の開示】
【発明が解決しようとする課題】
【０００５】
従来、建物などの扉に備えられる、デッドボルトとラッチボルトとを備えた錠として、インテグラルロックとも称される円筒錠がよく使われてきた。円筒錠は、扉面に垂直な軸に対して回動するドアノブを回動操作することによってラッチボルトの規制機構を解除し、扉を開閉するものである。施解錠機構は、ドアノブの中心に設けられてドアノブとは独立して回動可能なキーシリンダーやサムターンに連動してデッドボルトを出退させる。
このインテグラルロックは、ドアノブとキーシリンダーとが一体化されているため、上述したようにこれらが独立したプッシュプル錠の方が防犯効果が高い。また、ほぼ一定のデザインに限られるインテグラルロックに比べ、プッシュプル錠は、種々のデザインを採用することができる。さらに、回動操作に比べて単純な押し操作や引き操作によって扉を開閉することができる。
このような防犯効果やデザイン性、操作が容易なバリアフリーの観点などから、近年、プッシュプル錠の需要が高まっている。
【０００６】
しかし、上述したようにプッシュプル錠は、デッドボルトとラッチボルトとを操作する操作部が独立して設けられているため、操作部と錠箱との接続箇所が増大する。そして、接続のために扉面を切り欠く面積も大きくなる。例えば、上述したように特許文献１の構造では、２本のボルトは、扉の水平方向に並んで配置され、その中間には鍵やサムターンへの回動操作をデッドボルトへ伝達するための伝達部材が備えられている。そして伝達部材の鉛直方向にラッチボルトの規制を解除する駆動アームが配置される。このため、バー座と錠箱とを接続するためには、少なくとも２本のボルトと駆動アームとを頂点とする三角形を内包する切り欠きが扉面に必要となる。そして、駆動アームとキーシリンダーとの位置が離れていれば、この三角形の高さはますます高くなるので、扉面の切り欠きも大きくなる。
【０００７】
本願発明は、上記課題に鑑みて為されたもので、施解錠機構及び係止機構を有して扉の内部に収納される錠箱に対して、固定部材と、扉の外にある操作部からの操作力を錠箱に伝達する伝達部材とを、扉面に設ける開口部が小さくても、良好に接続できるプッシュプル錠を提供することを目的としている。
【課題を解決するための手段】
【０００８】
上記課題を達成するための本発明に係る扉の中に組み込み可能な錠箱と、前記扉の両面にそれぞれ取り付けられ、前記扉の面に直交する２つの固定部材によって前記扉の外側から前記錠箱を挟み込んで固定される２つの外部操作部とを有したプッシュプル錠は、
前記外部操作部の座部に設けられ、前記扉の面に直交する回動軸を有する施解錠操作部への回動操作に連動する回動作用部の作用により前記扉を施解錠するデッドボルトを出退させると共に、前記座部に保持された開閉操作部を前記扉の一方の面からは押し操作することより、他方の面からは引き操作することにより、駆動レバーを連動させ、この駆動レバーの開閉作用部の作用により前記扉の開扉の際に前記扉を係止するラッチボルトを出退可能な状態とするものであって、前記回動作用部と前記開閉作用部とが、前記扉の扉面視において、前記固定部材を結ぶ線に対して互いに反対側に配置されることを特徴とする。
【０００９】
バー座（座部）と錠箱とを接続するための開口部は、加工の容易さや強度を考慮して、楕円形や角部が丸められた菱形形状とされることが多い。従来、例えば特許文献１に記載のプッシュプル錠では、固定部材としての２本のボルトは、扉の水平方向に並んで配置され、その中間には回動操作をデッドボルトへ伝達するための伝達部材（回動作用部）が備えられていた。そして伝達部材の鉛直方向にラッチボルトの規制を解除する駆動アーム（開閉作用部）が配置されていた。従って、固定部材を結ぶ線を径や対角線とする円や楕円菱形形状で扉の面に設けられる開口部の鉛直方向の半分が無駄な空間となったり、あるいは、開口部を複数箇所設けたりする必要があった。
しかし、本特徴構成によれば、回動作用部と開閉作用部とが、固定部材を結ぶ線に対して互いに反対側に配置されるので、扉の面に設けられる開口部の上下方向を有効に活用することができる。従って、開口部を複数箇所設ける必要がない。また、２つの固定部材、回動作用部、開閉作用部を、近傍に配置することも可能であり、開口部を必要最小限の小さなものにすることができる。
その結果、固定部材と、扉の外にある操作部からの操作力を錠箱に伝達する伝達部材とを、扉面に設ける開口部が小さくても、良好に接続できるプッシュプル錠を提供することができる。
【００１０】
さらに、前記固定部材を結ぶ線を対称軸として、前記回動作用部と前記開閉作用部とが、対称位置に配置されるとよい。
【００１１】
上述したように、開口部は、加工の容易さや強度を考慮して、楕円形や角部が丸められた菱形形状とされることが多い。楕円や菱形は、径や対角線に対して線対称な図形であるから、固定部材を結ぶ線を対称軸とすれば、無駄のない開口部を得ることができる。
また、従来、よく利用された円筒錠は、その取り付けの際に、楕円形や角部が丸められた菱形形状の開口部を設けることが多かった。近年、円筒錠からプッシュプル錠への交換の需要が増加しているが、この際、既に設けられた開口部を流用することが可能となる。その結果、取替え工数などを低減することができ、費用も少なくなる。
【００１２】
さらに、前記固定部材を結ぶ線の垂直二等分線上に前記回動作用部と前記開閉作用部とが配置されるとよい。
【００１３】
開口部として、よく利用される楕円形や角部が丸められた菱形形状は、径や対角線が直角に交わる図形である。従って、固定部材を結ぶ線と、回動作用部と開閉作用部とを結ぶ線とが直交するように、固定部材と回動作用部と開閉作用部とが配置されれば、無駄のない開口部を得ることができる。
従来、よく利用された円筒錠は、文字通り円形である。従って、その取り付けの際に、円形に近い楕円形や角部が丸められた菱形形状の開口部を設けることが多かった。プッシュプル錠を上記特徴のように構成すれば、円筒錠からプッシュプル錠への交換の際、既に設けられた円筒錠の開口部を流用することも可能となる。
【００１４】
また、前記駆動レバーが、前記扉の面に直交し、前記開閉操作部に連結される連結部と、前記連結部から前記扉の面に沿って前記扉の上下方向に延伸する腕部と、前記腕部から前記扉の面に直交する方向に突出して前記錠箱の中に至る前記開閉作用部とからなる鉤型に構成されることを特徴とすることができる。
【００１５】
デッドボルトとラッチボルトとは、鉛直方向にある程度離間して配置される。デッドボルトとラッチボルトとを駆動する作用部をこの水平位置に設けると、両者の距離がほぼそのまま回動作用部と開閉作用部との距離となり、開口部が大きくなってしまう。開閉作用部は、軽いラッチボルトの規制を解除する機能を担うものであり、回動操作部は、安全上の観点からもラッチボルトより重厚なデッドボルトを出退させる機能を担うものである。従って、操作時に掛かる力は、開閉作用部よりも回動作用部の方が通常大きいと考えられる。従って、回動作用部を駆動する回動操作部は、固定部材に近い場所に配置することが好ましい。一方、開閉作用部を駆動する開閉操作部は、固定部材から離れた場所に配置することも可能である。
上記特徴によれば、開閉操作部が、固定部材から離れて配置された場合であっても、駆動レバーが屈曲して構成されるので、開閉作用部を固定部材の近傍に配置することが可能となる。その結果、固定部材、回動作用部、開閉作用部を、近傍に配置することができ、上述したような楕円や菱形形状の開口部を無駄なく利用できるプッシュプル錠を得ることができる。
【００１６】
また、前記開閉作用部が、前記ラッチボルトの動きを規制するラッチボルト規制機構を解除することにより、前記扉の開扉の際に前記ラッチボルトを出退可能な状態とするプッシュプル錠であって、前記ラッチボルト規制機構は、互いに対向して配置され、独立した回動支点と、前記回動支点と連結される共通の動支点とを有して前記駆動レバーの前記作用部による駆動力を受けて連動して回動する２つの受け部と、一方の前記受け部から前記ラッチボルトへと延伸して先端部に前記ラッチボルトの動きを規制する係合部が形成された柄部とを有したリンク機構を備え、前記動支点は、前記固定部材を結ぶ線及び前記開閉作用部を挟んで前記回動作用部とは反対側に配置され、前記一方の受け部と前記柄部とは角部に前記回動支点を有してＬ字形状に構成されることを特徴とすることができる。
【００１７】
特許文献１に記載のプッシュプル錠においては、開閉操作部への操作により、鉛直方向下方にある開閉操作部の駆動アームが動き、ラッチボルトの規制機構を解除する解除レバーを回動支点よりも下方にある従動レバー部において駆動する。これにより、回動支点よりも上方にある解除レバーの作動アーム部が回動し、ラッチボルトの反転を規制する規制部材を押し下げる。この機構では、ラッチボルトよりも鉛直方向の上方に解除レバーの作動アームが位置するので、本願発明の場合には、デッドボルトの出退機構と干渉する。干渉を避けると、開閉操作部からの駆動力を伝達する駆動レバーの開閉作用部が鉛直方向においてデッドボルトの回動作用部と離れすぎてしまう。
これに対し、本願発明では、先端部にラッチボルトの反転を規制する係合部が形成され、受け部からラッチボルトへと延伸する柄部を有したリンク機構を備え、受け部と柄部とをＬ字形状にしている。このリンク機構は回動支点を備えており、受け部への作用により回動して、ラッチボルトの反転を規制する係合部をラッチボルトから離間させて、規制を解除することができる。また、受け部は、プッシュプル錠のプッシュとプルとのそれぞれに対応可能なように、２つ備えられている。２つの受け部の回動は、それぞれの回動支点と動支点とを連結したリンク機構によって連動する。この動支点は、固定部材を結ぶ線及び開閉作用部を挟んで回動作用部とは反対側に配置される。従って、リンク機構は鉛直方向の下方に構成されるので、デッドボルトの出退機構と干渉することがない。その結果、２つの固定部材、回動作用部、開閉作用部を、近傍に配置することが可能となる。
【発明を実施するための最良の形態】
【００１８】
以下、本発明の実施例を図面に基づいて説明する。
図１は、本発明に係るプッシュプル錠の錠箱と外部操作部との関係を示す斜視図であり、図２はその展開図である。図に示すように、扉１００の両面には、それぞれ外部操作部３０が取り付けられる。扉１００の中に組み込み可能な錠箱１は、扉１００の扉面に直交する２つの固定部材６を用いて、外部操作部３０に挟み込まれて固定される。固定部材６は、雄ネジ（ボルト）と雌ネジ（受け部）とにより構成される。一方の外部操作部３０（３０ｂ）に雌ネジが切られた受け部６ｂが設けられ、ボルト６ａは、他方の外部操作部３０（３０ａ）を貫通して受け部６ｂと勘合する。ボルト６ａの内の１本は錠箱１のほぼ中央部を貫通し、１本は扉１００の自由端面１０１とは反対側の錠箱１の端部を支えるように連通する。本例において、外部操作部３０ａは室内側に、外部操作部３０ｂは室外側に取り付けられるものであり、ボルト６ａのネジ山は室内側に向く。
【００１９】
外部操作部３０は、扉面に固定される座部３１と、扉１００を施解錠するデッドボルト２を出退させる施解錠操作部３４と、扉１００を扉枠に係止するラッチボルト３を開扉操作に応じて出退可能な状態にする開閉操作部３２とを備えている。施解錠操作部３４は座部３１に直接備えられ、開閉操作部３２は支持アーム３３を介して座部３１に支持されている。
詳細は後述するが、施解錠操作部３４は、扉面に直交する回動軸を有し、施解錠操作部３４への回動操作に連動する回動作用部７を介してデッドボルト３を出退させる。施解錠操作部３４は、室外側では例えばキーシリンダー３４ｂであり、鍵をキーシリンダー３４ｂに差し込み、鍵によってキーシリンダー３４ｂを回動操作することによってデッドボルト２を出退させる。室内側では例えばサムターン３４ａであり、サムターン３４ａを回動操作することによってデッドボルト２を出退させる。図２に示すようにサムターン３４ａへの操作、及びキーシリンダー３４ｂへの操作は、伝達部材５を介して回動作用部７へ伝達される。
尚、図１には解錠状態で全体が錠箱１の中に格納された状態のデッドロック２を示している。図２には施錠状態で錠箱１から突出すると共に、先端部からフック２ａ（鎌）が跳ね上がった状態のデッドロック２を示している。
【００２０】
これも詳細は後述するが、扉面に対して、室内側の開閉操作部３２ａを押し操作することにより、又は室外側の開閉操作部３２ｂを引き操作することにより、駆動レバー４を介して、錠箱１の中のラッチボルト規制機構が駆動される。ラッチボルト３は、図に示すように扉１００の自由端面１０１から直角三角形のくさび型に突出している。この直角三角形の斜辺と対辺とは、扉１００の開閉に応じて反転可能な反転ラッチ構造となっている。閉扉時には、図１に示すように、扉１００の自由端面１０１に対して、ラッチボルト３の衝止面３ａが垂直に、非衝止面３ｂが斜めになっている。この状態において、ラッチボルト３は反転しないように規制されているので、扉１００は垂直面である衝止面３ａによって扉枠に係止される。開閉操作部３２への操作により、ラッチボルト３の規制が解除されると、ラッチボルト３が反転し、扉枠への係止が解除される。
尚、図２には、ラッチボルト２が反転し、衝止面３ａが扉１００の自由端面１０１に対して斜めに、非衝止面３ｂが垂直になった状態（例えば開扉後）が示されている。
【００２１】
駆動レバー４は、屈曲した形状を有しており、扉面に直交する連結部４１及び開閉作用部４３と、これらを結ぶ扉面に沿った腕部４２とから構成される。連結部４１は、開閉操作部３２を支持する支持アーム３３に連結され、開閉操作部３２への押し又は引きによる操作力を扉１００の内部の錠箱１へと伝達する。開閉作用部４３は、錠箱１の中へ挿入されて、ラッチボルト規制機構を駆動する。腕部４２は、互いにほぼ平行な連結部４１及び開閉作用部４３を接続し、駆動レバー４は、屈曲した鉤型に構成される。
【００２２】
このように、駆動レバー４を鉤型に構成することによって、開閉操作部３２や支持アーム３３の位置に関係なく、駆動レバー４の開閉作用部４３を適切な位置、つまり回動作用部７の近傍に配置することが可能となる。
上述したように錠箱１と２つの外部操作部３０とは、２つの固定部材６で固定されると共に、ラッチボルト規制機構及び回動作用部７と接続される必要がある。錠箱１は、扉１００の内部に収納されるので、扉１００の外面から錠箱１が見えるように扉面に切り欠き１０２を設ける必要がある。２つの固定部材６、回動作用部７、ラッチボルト規制機構を駆動する駆動レバー４の開閉作用部４３が、近傍に配置されれば、この切り欠き１０２を必要最小限の小さなものにすることができる。
【００２３】
本発明のプッシュプル錠は、回動作用部７と駆動レバー４の開閉作用部４３とを、扉１００の扉面視において、固定部材６を結ぶ線に対して互いに反対側に配置されるようにした。従って、図１に示すように固定部材６を結ぶ線を長辺の対角線とする菱形形状の小さな切り欠きを扉面に設けるだけで、プッシュプル錠を扉１００に取り付けることが可能である。
【００２４】
図３及び図４は、本発明に係るプッシュプル錠の扉面に平行な面での断面図である。図３は施錠及び閉扉時、図４は解錠及び開操作時の様子を示している。図中、二点鎖線Ａは、扉１００に設けられる切り欠き１０２による開口を示す仮想線である。図１の斜視図に示したように、回動作用部７と駆動レバー４の開閉作用部４３とが、扉面視において、固定部材６を結ぶ線に対して互いに反対側に配置される様子が明確に示されている。本例においては、さらに、固定部材６を結ぶ線を対称軸として、回動作用部７と駆動レバー４の開閉作用部４３とが、対称位置に配置される。又は、固定部材６を結ぶ線の垂直二等分線上に回動作用部７と開閉作用部４３とが配置される。
【００２５】
図５は、デッドボルト２とラッチボルト３との機構を示す斜視図である。図５（ａ）は、デッドボルト２の上面が視認可能な角度からの斜視図、図５（ｂ）は、ラッチボルト３の下面が視認可能な角度からの斜視図である。デッドボルト２は、図５（ａ）に施錠状態、図５（ｂ）に解錠状態が示されている。ラッチボルト３は、後述する係合突起３ｃや、バネ１７、係合部１２ａなどの構造が理解し易いように、図５（ａ）（ｂ）共に、衝止面３ａが斜面となり、非衝止面３ｂが垂直面となる状態が示されている。
【００２６】
図３に示す施錠時において、デッドボルト２は、扉枠２００に設けられた投入孔２０３に挿入されている。さらに、デッドボルト２の先端部のフック２ａが投入孔２０３の内部で上部へ跳ね上がり（図５（ａ）参照）、扉枠２００に固定されたストライク板２０２と係合するのでより強固にロックされる。
このとき、回動作用部７は、ストッパー８ａで規制される位置まで、図示反時計回りに回動されている。回動作用部７は、回動の中心を有する円形部とこの円形部から延出する柄部とを有したしゃもじ型をしている。円形部の回動に伴い、回動中心から離れて、変動距離の大きい柄部が、連結部材２１を扉１００の自由端面１０１側へ押し出す。そして、連結部材２１を介して連結されたデッドボルト２が、扉１００の自由端面１０１から押し出される。デッドボルト２には連結部材２１に対して揺動可能に固定されたフック２ａが、後端に揺動の支点を有して内蔵されている。デッドボルト２が錠箱１の外へ押し出されることによって錠箱１の内壁にフック２ａの後端が当接すると、デッドボルト２の先端からフック２ａの先端が跳ね上がる。フック２ａの後端は錠箱１の内壁に当接したまま保持されるので、フック２ａも跳ね上がったまま保持される。
【００２７】
図４に示す解錠時において、デッドボルト２は、錠箱１の中に収められる。このとき、回動作用部７は、ストッパー８ｂで規制される位置まで（図３参照）図示時計回りに回動されている。円形部の回動に伴い、柄部が、連結部材２１を扉１００の自由端面１０１側から錠箱１側へ引き込む。錠箱１の内壁からフック２ａの後端が離れると、跳ね上げられていたフック２ａの保持が解除される。フック２ａの先端部は自重により下がり、デッドボルト２の中に収納され、デッドボルト２も錠箱１内に収納される。
【００２８】
以下、図６、図７、図８も参照して、ラッチボルト３の規制機構を解除する仕組みについて説明する。図６は、本発明に係るプッシュプル錠の自由端面１０１に平行な面での断面図である。図７は、反転ラッチ機構の原理を示す説明図である。図８は、開閉操作部３２への操作による駆動レバー４の動きを示す説明図である。
ラッチボルト規制機構は、駆動レバー４によって規制解除の駆動がなされる。図２及び図６に示すように、駆動レバー４は、２つの開閉操作部３２に対してそれぞれ１つずつ設けられ、それぞれ独立してラッチボルト規制機構を駆動可能である。図６より明らかなように、本例において、２つの駆動レバー４は、干渉しないように図示上下方向にずらして配置されている。本例では、上側が、室内側の開閉操作部３０ａの押し操作に連動する駆動レバー４ａ、下側が、室外側の開閉操作部３０ｂの引き操作に連動する駆動レバー４ｂである。図３に示すように、開閉操作部３０が操作されていない場合、後述するリンク機構１０の受け部１１に対して、駆動レバー４は中立位置にある。尚、勿論、錠箱や扉の幅（厚み）によっては、駆動レバー４を上下方向にずらさずに対向させてもよい。
【００２９】
ラッチボルト３は、上述したように反転ラッチ機構が採用されている。ここで、図７を利用して反転ラッチ機構の原理について説明する。ラッチボルト３は、バネ１７によって付勢され、図７（ａ）に示すようにくさび型に突出し、投入孔２０３に挿入されている。ラッチボルト３の反転が規制されている状態では、扉１００を図示上向きに動かそうとしても、投入孔２０３に対して垂直な衝止面３ａと投入孔２０３の開口端縁が当接する。ラッチボルト３が引退しないため、扉１００は係止され、図示上向きへ動くことができない。ラッチボルト３の反転が規制されていない状態では、扉１００の図示上向きへの動きによって、図７（ｂ）に示すようにラッチボルト３が反転する。衝止面３ａは投入孔２０３に対して斜めとなる。投入孔２０３の開口端縁によって、斜面となった衝止面３ａが案内され、バネ１７の付勢力に抗ってくさび効果によりラッチボルト３が引退するので、扉１００は図示上向きへ動くことができる。
【００３０】
再び、図３を参照すると、ラッチボルト３は、バネ１７によって扉１００の自由端面１０１側へ付勢され、錠箱１及び自由端面１０１から突出して、扉枠２００に設けられた投入孔２０３に挿入されている。図３〜５に示すように、ラッチボルト３には、上面及び下面に係合突起３ｃが設けられている。ラッチボルト３のスライダーの下板１８には、図５（ｂ）に示すように、係合突起３ｃの無い部分に対応するスリット１８ａが設けられている。スリット１８を抜けて挿入される断面Ｕ字型の係合部１２ａが、係合突起３ｃと係合することにより、上述した反転ラッチ機構の反転が規制される。このため、垂直面であるラッチボルト３の衝止面３ａが投入孔２０３の開口端縁と当接しても、衝止面３ａが斜面に反転することなく、扉１００が扉枠２００に係止される。
尚、スライダーの下板１８の下面側には、係合部１２ａをスリット１８ａに誘導するために各スリット１８ａを挟んで３箇所に突起１８ｂが設けられている（図５（ｂ）では１つの突起１８ｂのみ可視。）。従って、後述するように係合部１２ａによる係合が解除された後も、良好に係合状態に復帰させることができる。
【００３１】
図３〜５に示すように、ラッチボルト規制機構は、リンク機構１０を備えて、駆動レバー４からの駆動力を上記係合部１２ａに伝達している。リンク機構１０は、駆動レバー４の開閉作用部４３による駆動力を受ける受け部１１を２つ備えている。２つの受け部１１は、互いに対向して配置され、同一の動支点１３を有して駆動レバー４の作用部による駆動力を受けて連動する。一方の受け部１１ａは、締結点１４ａにおいて、回動自在に錠箱１に固定されると共に、バネ１５によって時計回りに付勢されている。他方の受け部１１ｂは、締結点１４ｂにおいて、回動自在に錠箱１に固定される。受け部１１ａは、締結点１４ａにおいて上述した係合部１２ａを有する柄部１２と固定される。固定後の受け部１１ａと柄部１２とは、扉面視で締結点１４ａを角部とするＬ字形状に構成され、一体で回動する。
【００３２】
柄部１２と、受け部１１ｂとは、締結点１４ａ及び１４ｂの中間点までそれぞれ延伸され、長穴に支軸を通した動支点１３において締結される。２つの受け部１１は動支点１３を共有するので、締結点１４ａ又は１４ｂを支点（回動支点）として一方の受け部１１が回動すると他方も逆回りに連動して回動する。また、上述したように、受け部１１ａがバネ１５によって時計回りに付勢されているので、受け部１１ａに連動する受け部１１ｂは反時計回りに付勢される。
【００３３】
ここで、図８を参照し、開閉操作部３２の操作により、ラッチボルト３の規制機構を解除する仕組みについて説明する。始めに、図８（ａ）と共に図４を参照し、室内側の開閉操作部３２ａを押し操作することにより、ラッチボルト３の規制機構を解除する場合について説明する。
開閉操作部３２ａが図示矢印方向に押し操作されると、駆動レバー４ａが図示左方向に動き、駆動レバー４aの開閉作用部４３がリンク機構１０の受け部１１ａに当接する。そして、受け部１１ａと柄部１２とをバネ１５の付勢力に抗って図示反時計回りに回動させる。そして、係合部１２ａによるラッチボルト３の規制が解除され、ラッチボルト３は反転可能となる。
【００３４】
開閉操作部３２ａの押し操作に伴って、扉１００が動こうとするとラッチボルト３が反転する。この反転により、扉枠の端面２０１に対して垂直面であった衝止面３ａは、斜面となる。斜面となった衝止面３ａと扉枠２００の投入孔２０３の開口端縁との当接により、くさび効果が生じ、ラッチボルト３は、バネ１７の付勢力に抗って引退する。このようにラッチボルト３による扉１００の係止が解除されているので、扉１００が開かれる。
【００３５】
図８（ｂ）に示す室外側の開閉操作部３２ｂを引き操作することにより、ラッチボルト３の規制機構を解除する場合も同様である。開閉操作部３２ｂが図示矢印方向に引き操作されると、駆動レバー４ｂが図示右方向に動き、駆動レバー４ｂの開閉作用部４３がリンク機構１０の受け部１１ｂに当接する。そして、受け部１１ｂを時計回りに回動させると、これに連動する柄部１２及び受け部１１ａも、バネ１５の付勢力に抗って図示反時計回りに回動させられる。その結果、係合部１６ａによるラッチボルト３の規制が解除され、ラッチボルト３は反転可能となり、以下同様に扉１００が開かれる。
【００３６】
尚、動支点１３は、固定部材６を結ぶ線及び駆動レバー４の開閉作用部４３を挟んで回動作用部５とは反対側に配置される。従って、駆動レバー４の開閉作用部４３は、ラッチボルト規制機構が離れて位置していても、固定部材６を結ぶ線の近傍へ配置することができる。その結果、固定部材６、回動作用部５、駆動レバー４の作用部を近傍に集中して配置することができる。つまり、図示二点鎖線Ａの範囲内に収めることができる。
【００３７】
以上説明したようなプッシュプル錠は、防犯上やデザイン上の観点から近年、需要が伸びている。従って、従来、建物などの扉に備えられる、インテグラルロックとも称される円筒錠からの交換も近年増化している。インテグラルロックを扉に取り付けるに当たっては、作業性や取り付け方法の観点から、円筒部の円形に外接する菱形形状の切り欠きを扉に設けることがある。図３及び図４に二点鎖線で示した切り欠き形状の仮想線Ａは、円筒錠を取り付ける際の切り欠きとほぼ同等の大きさである。従って、円筒錠からプッシュプル錠への交換に際して、改めて切り欠きを設ける必要がない。
【００３８】
尚、本発明のプッシュプル錠は、近年社会問題化している、いわゆるサムターン回しに対する防犯対策が施されている。サムターン３４ａは、使用者による能動的な操作時以外には、デッドボルト２が出退しない構造を有して座部３１に取り付けられている。つまり、室内側からは、サムターン３４ａを押し回しすることによって、デッドボルト２を出退させる。具体的には、図９に示すように、サムターン３４ａを図示Ｂ方向へ押し込み、室内側の伝達部材５ａと係合させ（図６参照）、図示Ｃ１方向（図９参照）へ回動させることにより、デッドボルト２を突出させる。解錠時はこの逆方向への回動となる。
尚、図９に示すように、サムターン３４ａは、底面が正方形状の直方体形状のツマミ部分を有しているため、回動により任意の位置で停止すると、美観上好ましくない。従って、ツマミ部の底面の辺が水平となる４つの位置を停止位置とするように制限されている。当然、ツマミ部の形状が、本例とは異なる場合であっても、同様に所定の定位置を停止位置とするように制限されるとよい。
【００３９】
デッドボルト２は、室外側の施解錠操作部であるキーシリンダー３４ｂを介しても出退駆動される。この時、能動操作されていないサムターン３４ａは、デッドボルト２の出退に拘らず回動しない。
このように、サムターン３４ａのツマミ部分の停止位置とデッドボルト２との状態は、一義的に定まらない。従って、室内側からは、サムターン３４ａの姿勢によって、施解錠の状態を判別することができない。そこで、室内側の外部操作部３０ａには、図９に示すように施解錠を表示する表示窓３５が設けられている。
上述したようにサムターン３４ａを押し回しすることによって、室内側の伝達部材５ａと係合させ、図示Ｃ１方向へ回動させると、室内側の伝達部材５ａに一体形成されたインジケータ駆動部５ｃ（図２、図６参照）も、同様に回動する。インジケータ駆動部５ｃは、インジケータ駆動部５ｃに係合されたインジケータ９（図６、図９参照）を回動させる。これにより、表示窓３５を介して室内側へ表示されていた解錠表示部９ａは、座部３１の中に引退して視認できなくなる。反対に、座部３１の中に引退していた施錠表示部９ｂが表示窓３５を介して視認可能となる（図９参照）。これら、解錠表示部９ａと施錠表示部９ｂとは、開」、「閉」などの文字や、「青」、「赤」などの色、錠前の解錠と施錠とのイラストなどを用いて、区別可能に構成される。
【００４０】
室外側の施解錠操作部であるキーシリンダー３４ｂを介して、デッドボルト２が駆動される場合も同様である。図６に示したように、施解錠の室内側伝達部材５ａと室外側伝達部材５ｂとは連動するため、キーシリンダー３４ｂを介した施解錠操作は、インジケータ９にも作用する。従って、室内側からは、常に表示部３５を介してデッドボルト２の状態を容易に判別することができる。
【００４１】
尚、本発明の説明に際して、反転ラッチ機構を備えたラッチボルトを用いたが、開閉操作部の操作に応じて、ラッチボルトが出退する構造でもよい。
【図面の簡単な説明】
【００４２】
【図１】本発明のプッシュプル錠の錠箱と外部操作部との関係を示す斜視図
【図２】本発明のプッシュプル錠の錠箱と外部操作部との関係を示す展開図
【図３】本発明のプッシュプル錠の扉面に平行な面での断面図（施錠、閉扉時）
【図４】本発明のプッシュプル錠の扉面に平行な面での断面図（解錠、開操作時）
【図５】本発明のデッドボルトとラッチボルトとの構造を示す斜視図
【図６】本発明のプッシュプル錠の自由端面に平行な面での断面図
【図７】反転ラッチ機構の原理を示す説明図
【図８】本発明の開閉操作部への操作による駆動レバーの動きを示す説明図
【図９】本発明のプッシュプル錠の室内側の外部操作部を示す斜視図
【符号の説明】
【００４３】
１：錠箱
２：デッドボルト
３：ラッチボルト
４：駆動レバー
６：固定部材
７：回動作用部
１０：リンク機構
１１：受け部
１２：柄部
１３：動支点
１４：締結部（回動支点）
３０：外部操作部
３１：座部
３２：開閉操作部
３４：施解錠操作部
４３：開閉作用部
１００：扉
２００：扉枠
【図１】
2007154499.tif 000003
【図２】
2007154499.tif 000004
【図３】
2007154499.tif 000005
【図４】
2007154499.tif 000006
【図５】
2007154499.tif 000007
【図６】
2007154499.tif 000008
【図７】
2007154499.tif 000009
【図８】
2007154499.tif 000010
【図９】
2007154499.tif 000011